(57)【要約】  【課題】  本発明は、許容最大周波数での圧縮機の運転を極力抑制するとともに、室内温度が上昇し過ぎることを防止する冷蔵庫を提供することを目的とする。  【解決手段】  温度検知手段２４により検知した温度と予め設定した動作温度または検知温度の変化率などに基づき圧縮機３７の回転周波数を決定し、許容最大周波数よりも小さい周波数の範囲内で運転させる通常運転モードから、温度検知手段２４が前記動作温度よりも高い高負荷温度以上の温度を検知した場合または継続して検知した場合のみに（Ｓ２）、圧縮機３７の周波数を許容最大周波数で運転させる高負荷運転モード（Ｓ４）に移行させる。  【選択図】  図１
2005098549.tif 000002
【特許請求の範囲】
【請求項１】
外箱と内箱の間に断熱材を充填させた冷蔵庫本体と、この冷蔵庫本体内に配設された貯蔵室と、この貯蔵室を冷却する冷却器と、この冷却器に冷媒を流す能力可変の圧縮機と、前記貯蔵室内または前記冷却器の温度を検知する温度検知手段とを有し、この温度検知手段により検知した温度と予め設定した動作温度または検知温度の変化率などに基づいて圧縮機の回転周波数を決定し、許容最大周波数よりも小さい周波数の範囲内で運転させる通常運転モードと、前記温度検知手段が前記動作温度よりも高く設定した高負荷温度以上の温度を検知した場合または継続して検知した場合のみに、圧縮機の周波数を許容最大周波数で運転させる高負荷運転モードとを備えたことを特徴とする冷蔵庫。
【請求項２】
圧縮機の運転を停止させて冷却器を除霜する除霜運転モードを備え、温度検知手段が動作温度よりも高く設定した高負荷温度以上の温度を検知した場合または継続して検知した場合で、かつ前記除霜運転モードが終了したときのみに高負荷運転モードで圧縮機を運転することを特徴とする請求項１に記載の冷蔵庫。
【請求項３】
除霜運転モードは、予め設定された通常除霜時間以上圧縮機が運転したときに通常運転モードから移行するとともに、温度検知手段が動作温度よりも高い高負荷温度以上の温度を検知した場合または継続して検知した場合には、前記通常除霜時間を短縮することを特徴とする請求項２に記載の冷蔵庫。
【発明の詳細な説明】
【技術分野】
【０００１】
本発明は、インバータ制御などによる能力可変の圧縮機を備えた冷蔵庫に関する。
【背景技術】
【０００２】
従来より、圧縮機は、能力可変（例えば３０Ｈｚ〜７０Ｈｚの周波数）で駆動されるようになっており、室内の温度センサの検知温度と予め設定した動作温度との温度差や変化率に基づいて回転周波数を決定し、温度差や変化率が小さいときには、負荷が小さいとみなして低速回転周波数で駆動することにより、冷凍サイクルの効率を上げて省エネを図るようになっている。逆に、温度差や変化率が大きい場合には、室内が高負荷であるとみなして許容最大周波数（例えば、７０Ｈｚ）で駆動することにより、室内温度の上昇を防止している。
【０００３】
また、特許文献１に記載されている発明では、急速冷凍モードと除霜前に強制冷却するプリクール運転モード時のみに許容最大周波数で駆動することで、通常時には、、圧縮機の回転周波数を必要以上に上げることを防止するとともに、騒音などの不具合を解消する構成が開示されている。
【特許文献１】特開平１１−３１１４６７号公報
【発明の開示】
【発明が解決しようとする課題】
【０００４】
長時間の開扉などにより室内温度が上昇したときは、温度上昇が一時的なものであることから回転周波数を上昇させなくても即時、例えば１時間程度で冷却されたり、食品の保存に影響を与えない範囲、例えば冷凍室の場合−１２℃前後で室温を保持できる場合がある。
【０００５】
しかしながら、従来の制御方法では、高負荷と判断する例えば−１２℃以上の動作温度を超えたときには、常に圧縮機は許容最大周波数で運転するため、必要以上の周波数で運転して過剰に電力を消費させてしまうとともに、許容最大周波数での運転頻度が多くなり、騒音などの不具合が生じる。
【０００６】
一方、特許文献１に開示されている発明では、許容最大周波数での運転を急速冷凍モードと除霜前に限ることにより、上記のような不具合は解消されるが、例えば夏場などに高負荷の食品が投入されて、室内温度が上昇するのみで一向に冷却されない場合には、省電力運転よりも、圧縮機を許容最大周波数で駆動させて室内の冷却に注力することが必要な場合がある。
【０００７】
本発明はこの点に着目してなされたもので、許容最大周波数での圧縮機の運転を極力抑制するとともに、室内温度が上昇し過ぎることを防止する冷蔵庫を提供することにある。
【課題を解決するための手段】
【０００８】
上記課題を解決するために、外箱と内箱の間に断熱材を充填させた冷蔵庫本体と、この冷蔵庫本体内に配設された貯蔵室と、この貯蔵室を冷却する冷却器と、この冷却器に冷媒を流す能力可変の圧縮機と、前記貯蔵室内または前記冷却器の温度を検知する温度検知手段とを有し、この温度検知手段により検知した温度と予め設定した動作温度または検知温度の変化率などに基づいて圧縮機の回転周波数を決定し、許容最大周波数よりも小さい周波数の範囲内で運転させる通常運転モードと、前記温度検知手段が前記動作温度よりも高く設定した高負荷温度以上の温度を検知した場合または継続して検知した場合のみに、圧縮機の周波数を許容最大周波数で運転させる高負荷運転モードとを備えたことを特徴とする。
【発明の効果】
【０００９】
上記発明によれば、許容最大周波数での圧縮機の運転を極力抑制するとともに、室内温度が上昇し過ぎることを防止する冷蔵庫を提供することができる。
【発明を実施するための最良の形態】
【００１０】
以下、図面に基づき本発明の１実施例について説明する。本発明に係る冷蔵庫の縦断面図である図３に示すように、冷蔵庫本体１は外箱２ａと内箱２ｂの間に断熱材２ｃを充填させた矩形箱状の断熱箱体２内に、上段から順に、冷蔵室３、野菜室４、切替室５、冷凍室６を有して構成されている。なお、特に図示しないが製氷室を切替室５と併設させている。本体１の前面開口部には、上段から順に、各貯蔵室３〜６をそれぞれ開閉自在に閉塞する扉７〜１０を設けている。
【００１１】
冷蔵室３および野菜室４は仕切板１１により区画され、それぞれをほぼ１〜５度の温度帯に保持している。野菜室４の背面には、冷蔵室用冷却器２７（以下、Ｒエバと称する。
【００１２】
）を設けており、その上部には、冷蔵室用ファン２８（以下、Ｒファンと称する。）を設けている。このＲファン２８が運転されると、Ｒエバ２７により生成された冷気が冷蔵室３および野菜室４に供給されて各室を冷却し、冷却し終えた冷気は再びＲエバ２７に戻されて熱交換されるようになっている。また、冷蔵室３の背面には、室内の温度を検知する温度検出手段である冷蔵室用温度センサ１５（以下、Ｒセンサと称する。）を取付けている。
【００１３】
一方、冷凍室６は、―１８〜―２５度の温度帯に保持され、切替室５は、設定された温度帯になるように保持されるようになっており、それぞれ断熱仕切壁１６により区画されている。切替室５および冷凍室６の背面には、冷凍室用冷却器３２（以下、Ｆエバと称する。）を設け、その上部には、冷凍室用ファン３３（以下、Ｆファンと称する。）を設けている。このＦファン３３が運転されると、Ｆエバ３２により生成された冷気が切替室５および冷凍室６に供給されて各室を冷却し、冷却し終えた冷気は再びＦエバ３２によって熱交換されるようになっている。
【００１４】
また、冷凍室６の背面には室内の温度を検知する温度検知手段である冷凍室用温度センサ２４（以下、Ｆセンサ２４と称する。）を取付けており、Ｆエバ３２の下方にはガラス管ヒータからなる除霜ヒータ３４を設け、Ｆエバ３２には温度検知手段である除霜完了を検知するＦエバ除霜センサ３５（以下、ＦＤセンサ）を設けている。なお、除霜ヒータ３４はシーズヒータやパイプヒータであってもよい。
【００１５】
本体１の背面底部には機械室３６を設けており、内部には圧縮機３７、圧縮機３７を放熱させる放熱ファン３８（以下、Ｃファンと称する）などを設けている。
【００１６】
圧縮機３７は、インバータ制御により能力可変となっており、温度検出手段、ここではＲセンサ１５、Ｆセンサ２４またはＦＤセンサ３５の検知温度が予め設定されている動作温度との温度差または温度変化率に基づいて、回転周波数（例えば、０Ｈｚ〜７０Ｈｚ）を決定して、運転する。この場合、温度差や変化率が大きいときには室内が高負荷であるとみなして高回転周波数で運転し、温度差や変化率が小さいときには室内が軽負荷であるとみなして低回転周波数で運転することにより、冷却効率を上げて省エネを図るようになっている。
【００１７】
この圧縮機３７およびＲエバ２７、Ｆエバ３２により構成されている冷凍サイクルについては特に図示しないが、三方弁４３（図４参照）の切替により圧縮機３７により吐出された冷媒がＲエバ２７またはＦエバ３２に選択的に流れるようになっている。
【００１８】
本体１の背面には、マイコンなどから構成されている制御装置４７を設けている。なお、制御装置の配置位置は、機械室３６に設けても構わない。本発明のブロック図である図４に示すように、制御装置４７には、Ｒセンサ１５、Ｆセンサ２４、ＦＤセンサ３５などからの信号が入力されるとともに、それらの入力信号に基づいて、圧縮機３７、三方弁４３、Ｒファン２８、Ｆファン３３、Ｃファン３８、除霜ヒータ３４などを制御するようになっている。また、制御装置４７は、上記入力信号に基づいて通常運転モード、除霜運転モード、高負荷運転モードに切替えて各室を適温に保持するようになっている。
【００１９】
以下、各運転モードについて説明する。通常運転モードは、冷媒をＲエバ２７に流して主として冷蔵室３および野菜室４を冷却するＲ冷却モードと、冷媒をＦエバ３２に流して主として切替室５や冷凍室６を冷却するＦ冷却モードとを、順次切替えて冷蔵温度室３，４と冷凍温度室５，６をそれぞれ交互に冷却することにより、平均して全室を目標温度に維持するモードである。
【００２０】
冷蔵温度室３，４および冷凍温度室５，６には、それぞれ例えば３度および−２１度の目標温度に対して所定幅の動作温度、ここではＯＮ温度を５度および−１８度、ＯＦＦ温度を１度および−２４度に設定し、この動作温度とＲセンサ１５およびＦセンサ２４の検知温度との温度差や変化率によって、Ｒ冷却およびＦ冷却モードを切替えるようになっている。具体的には、冷却中の室の検知温度がＯＦＦ温度に達したときや冷却積算時間が所定時間、例えばＲ冷却モードでは２０分、Ｆ冷却モードでは４０分経過したときに切替える。
【００２１】
Ｒファン２８およびＦファン３３はそれぞれの冷却運転モード中に運転され、上記温度差や変化率に基づいて回転周波数が決定され冷却されるようになっている。なお、本実施例では、Ｆ冷却運転モード中にもＲファン２８を所定時間回転させることによりＲエバ２７の除霜を実行する。このとき、Ｒファン２８の運転によりＲエバ２７の除霜を行わない場合には、運転をさせなくてもよい。また、Ｃファン
３８は、圧縮機３７の運転と同期して運転されるとともに、外気温が高いときには常時運転させて、機械室３６の放熱を図っている。
【００２２】
圧縮機３７は、各ファンと同様に上記温度差や変化率に基づいて回転周波数が決定され冷却されるようになっているが、許容最大周波数（例えば７０Ｈｚ）よりも小さい通常最大周波数（例えば６０Ｈｚ）以下の周波数範囲内で運転される。なお、両センサ１５，２４の検知温度がＯＦＦ温度に達している場合には、冷却は不要であるため圧縮機３７を停止（０Ｈｚ）させる。
【００２３】
この場合、上記通常最大周波数の設定は、実験結果グラフである図７に示すように、圧縮機３７を各周波数で運転させたときに使用者の聴覚により騒音と感じるか否かで判断し、本実験では２０ｄｂ以下では騒音とは感じないため、その境界周波数を通常最大周波数として設定する。このため通常最大周波数で圧縮機３７を運転することにより騒音による不快感を解消させることができる。
【００２４】
次に除霜運転モードについて説明する。除霜運転モードは除霜ヒータ３４に通電してＦエバ３２の除霜を実行するモードであるが、除霜により室内温度が著しく温度上昇するため、ヒータの通電前にプリクール運転を行う。このプリクール運転は、Ｆ冷却運転モードの終了前に冷凍室５のＯＦＦ温度を例えば低温側に３Ｋシフトさせて、通常最大周波数で圧縮機３７を運転することにより冷凍室５を強制冷却し、通常運転モード復帰後の温度上昇を抑制するモードである。
【００２５】
また、除霜運転モードへの移行は、Ｆ冷却運転モードの運転により、Ｆエバ３２の除霜が必要であると判断する通常除霜時間、例えば１０時間以上をＦ冷却運転モードが積算して経過した場合にはモードを移行し、ＦＤセンサ３５の検知温度が除霜終了温度、例えば３度以上を検知したときに該モードを終了して通常運転モードに移行するようになっている。なお、Ｒエバ２７の除霜は、上述したようにＦ冷却運転モード中のＲファン１５の運転により行われるが、Ｒエバ２７にも除霜ヒータを設けた場合には、Ｆエバ３２と同様の制御を行う。また、除霜運転モード中は、圧縮機３７、各ファン２８，３３，３８は停止させておくとともに、通常運転モードに復帰後は、低周波数から徐々に高くしていくようにしている。
【００２６】
次に、高負荷運転モードについて説明する。高負荷運転モードは圧縮機３７を許容最大周波数で運転して室内温度が上昇し過ぎてしまうことを防止するモードである。
【００２７】
上述したように許容最大周波数で圧縮機３７を運転させた場合には、騒音による弊害が生じるため極力運転を避けたい。しかし、例えば高負荷な食品が投入された場合に、通常最大周波数で圧縮機３７を運転させても室内温度が一向に下降しないときや温度上昇を継続していくときには、貯蔵された食品に悪影響を及ぼす可能性があるため、騒音による弊害よりも室内冷却を優先することが必要となる。そこで、高負荷運転モードでは、貯蔵された食品に悪影響を与えず、許容最大周波数での運転を必要最小限に抑えるようにしている。
【００２８】
具体的には、前記動作温度であるＯＮ温度よりも高く設定した高負荷温度、例えば−１２度をＦセンサ２４の検知温度が積算して所定時間、例えば６時間以上越えたときにのみ高負荷運転モードに移行させ、Ｆセンサ２４の検知温度が高負荷温度以下になったときに、通常運転モードに移行するようになっている。なお、具体的な本モードの作用効果については後述する。
【００２９】
次に、本実施例の作用について、本発明のフローチャートである図１および圧縮機周波数と冷凍室温度の関係を示す図５に基づき説明する。なお、冷蔵室３および冷凍室６の冷却制御は高負荷温度や動作温度の相違のみで同制御を行ってもよいため、以下の説明では冷凍室６の制御を例に説明する。
【００３０】
冷蔵庫１は通常運転モードを実行しており、図５に示すように、高負荷温度、例えば室内温度が−１２℃以下の温度帯では、温度差や温度変化率に基づいて圧縮機３７の回転周波数を所定範囲、ここでは０Ｈｚ〜６０Ｈｚの範囲内で駆動し室内を適温に保持している。しかし、扉１０が長時間に亙って開放された場合などには急激に室内温度が上昇し、Ｔ１のタイミングで、例えばＦセンサー２４の検知温度が−１２℃を超えた場合は、室内が高温であるとみなして、圧縮機３７の周波数を上げて室内を冷却する必要があるため、通常最大周波数で運転する。
【００３１】
通常であれば、この周波数で運転すれば室内温度は下降していくが、夏場など室外温度が高く高負荷の食品が貯蔵された場合などには、下降せずに−１２℃以上の温度で停滞する場合がある。このとき、冷凍室６は温度上昇を続けることがないため、圧縮機３７の回転周波数を上げて必要以上に許容最大周波数で運転してしまうと過剰に電力を消費するとともに騒音による不具合が生じる。一方、長時間に亙って通常最大周波数で運転しても温度下降しない場合には、温度上昇を続けたり、長時間に亙って高温が維持され室内の食品に悪影響を及ぼすことになる。
【００３２】
そこで、図１に示すような制御を行う。なお、スタートの状態は通常運転モードを実行している状態である。ステップ１では、冷凍室６の室内温度ｔｆ、ここではＦセンサ２４の検知温度が高負荷温度、例えば−１２℃以上を検知した積算時間Ｔｂをカウントする（Ｓ１）。ここでは積算時間Ｔｂをカウントするが連続時間をカウントしてもよい。
【００３３】
ステップ２では、Ｆセンサ２４の検知温度が高負荷温度以上の温度を継続して検知したか否か、具体的には前記積算時間Ｔｂが所定時間、例えば６時間経過したか否かを検出する（Ｓ２）。経過していない場合には、通常最高周波数で運転を行っても時間経過とともに冷却されていく可能性があり、許容最大周波数での運転を極力抑制するためにステップ３に進む。一方、６時間経過した場合には、許容最大周波数での運転により室内を冷却する必要があるとみなしてステップ４に進む。なお、積算時間を連続時間としたときは、例えば６時間を１時間としてもよい。
【００３４】
ステップ３では、冷凍室温度ｔｆが高負荷温度より高く冷凍室としての機能を果さなくなる所定温度、例えば−８℃以上か否かを検出する（Ｓ３）。一般的に、通常最高周波数での運転によれば、室内温度が下降したり高負荷温度よりも高い一定温度（−８℃〜−１２℃）で保持されるため、貯蔵食品に悪影響を及ぼさない可能性がある。高負荷な食品が載置されるなどして室内温度が急激に上昇し、例えば、−８℃以上になった場合には、アイスクリームなどの冷凍食品が溶けてしまうなど冷凍室６としての機能を果さなくなってしまう問題がある。
【００３５】
このようなときには、何よりも食品の保護を優先することが必要であるため、冷凍室温度ｔｆが所定温度、例えば−８℃以上を検知した場合には、即ステップ４に進み、通常運転モードから高負荷運転モードに移行し、圧縮機３７を許容最大周波数で運転して室内を急激に冷却する（Ｓ４）。逆に、冷凍室温度ｔｆが所定温度未満の場合には、室内温度は貯蔵された食品に大きな悪影響を及ぼさない範囲での温度であるため、許容最大周波数での運転は必要がないとみなしてステップ１に戻る。
【００３６】
ステップ５では、冷凍室温度ｔｆが高負荷温度未満か否かを検出して（Ｓ５）、高負荷温度以上であればステップ４に戻り、一方、高負荷温度未満になれば、室内温度がある程度冷却されて許容最大周波数による強制冷却は必要がないとみなして、ステップ６に進み通常運転モードに移行するようになっている（Ｓ６）。
【００３７】
従来の制御方法では、図５に破線で示すように、高負荷温度を超えた場合には許容最高周波数で運転しており、通常最高運転周波数での運転により室内温度が下降したり、貯蔵された食品に大きな悪影響を及ぼさない範囲で保持されているにも拘らず、必要以上に許容最高周波数で圧縮機３７を運転してしまうため、過剰に電力を消費したり、騒音による不快感を使用者に与える頻度を多くしてしまっていた。また、特許文献１による制御方法では、冷凍室としての機能を果さない程、室内温度が上昇しても許容最高周波数で運転されないため貯蔵された食品に大きな悪影響を及ぼす恐れがあった。
【００３８】
しかし、上述したように本発明の構成によれば、室内温度が高負荷温度以上を継続した場合にのみ、通常モードから高負荷運転モードに移行しないため、許容最高周波数での運転を必要最小限にして、省電力とともに騒音など使用者に与える不快感を極力抑制することができ、冷凍室としての機能を果さなくなるほど温度上昇した場合には、高負荷運転モードに移行して、強制冷却を実行するようになっているため、貯蔵された食品も確実に保護することができる。
【００３９】
なお、電源投入時や使用者の設定により室内を急速に冷却する運転モードなどが設定された場合には、使用者は急速な冷却運転を行っているとの認識があるため、許容最高周波数での運転を行ってもよい。また、動作温度、高負荷温度または所定温度などは、冷蔵庫の冷却性能によって適宜変更させてもよく、外気温に基いて変化させるようにしてもよい。
【００４０】
次に、本発明の他の実施例について、図２および図６を参照して説明する。なお、実施例１と重複する構成については、その説明を省略する。
【００４１】
本実施例は、除霜運転モードが終了したときのみに高負荷運転モードに移行する構成である。
【００４２】
図２に示すように、ステップ１１では、Ｆ冷却運転モードの運転時間Ｔａをカウントし（Ｓ１１）、ステップ１２において運転時間Ｔａが通常除霜時間（例えば、１０時間）以上経過したか否かを検出して（Ｓ１２）、経過していればステップ１３に進み除霜運転モードに移行する（Ｓ１３）。除霜運転モードが終了すればステップ２０に進み通常運転モードに移行する（Ｓ２０）。これは通常の除霜運転モードのステップであり、具体的な内容は上述した通りである。
【００４３】
ステップ１２において通常除霜時間を経過していない場合にはステップ１４に進み、上記ステップ１，２と同様に冷凍室温度ｔｆが高負荷温度以上になった積算時間をカウントし（Ｓ１４）、積算時間が所定時間（例えば、６時間）以上を経過したか否かを検出して、経過していなければステップ１６に進む。なお、積算時間は連続時間、例えば１時間でもよい。
【００４４】
ステップ１６では、上記ステップ３で説明したように冷凍室温度ｔｆが高負荷温度より高く冷凍室としての機能を果さなくなる所定温度、例えば−８℃以上か否かを検出し（Ｓ１６）、所定温度以下であればステップ１１に戻り、所定温度以上であれば、室内温度を迅速に降下させる必要があるため、即ステップ１８に進み、高負荷運転モードに移行させる（Ｓ１８）。
【００４５】
一方、ステップ１５において、所定時間経過した場合には、ステップ１７に進み除霜運転モードに移行させて（Ｓ１７）、除霜運転後に高負荷運転モードに移行する（Ｓ１８）。なお、ステップ１９，２０は上記ステップ５，６と同様であり、また、本除霜運転モードでは圧縮機は通常最大周波数で運転させても冷却されなかったとみなしているため、プリクール運転は行わない。
【００４６】
一般に、Ｆエバ３２に着霜すると冷却性能は低下する。すなわち、Ｆエバ３２に着霜した状態で圧縮機３７を許容最高周波数で運転しても、冷却性能が低下した状態で運転することになるため、室内温度の降下速度は鈍くなり運転時間が長くなるという不具合が生じ、高負荷温度以下に達して通常運転モードに移行しても、冷却性能が低下した状態であるため、直ぐに温度上昇してしまう恐れがある。
【００４７】
そこで、本発明は除霜運転モードが終了したときのみに、高負荷運転モードに移行させる。これは、高負荷運転モードに移行させる前に、除霜運転モードを実行してＦエバ３２の冷却性能を復帰させることにより、高負荷運転モードにおける圧縮機３７の冷却効率が増加し、もって許容最高周波数での運転時間を短縮させることができるとともに、その後の通常運転モードにおいても冷却性能が復帰した状態であるため、通常最大周波数でも充分に室内を冷却することができ、もって、許容最高周波数による運転を極力抑制することができるからである。
【００４８】
また、従来の制御方法では、図６に示すように、同タイミングで除霜を行っても、除霜前に許容最高周波数で運転しているため着霜量が多く、除霜時間が長くなるが、本発明では、許容最高周波数での運転前に除霜運転を実行するため、着霜量を抑制して除霜時間を短縮させることができるため、除霜時の室内温度上昇を最小限にさせることができる。
【００４９】
上述した構成では、冷凍室温度が高負荷温度以上の状態を継続した場合には、直ちに除霜運転モードに移行するようにされているが、高負荷運転モード移行への条件を積算時間Ｔｂにより判断する場合には、ステップ１３における通常除霜終了直後に、再びステップ１７における除霜運転モードに移行され除霜が開始されてしまうという不具合が生じる可能性がある。
【００５０】
そこで、冷凍室温度が高負荷温度以上を検知した場合または継続した場合には（例えば、１０分）、通常除霜時間を短縮、例えば１０時間を６時間に変更することにより、除霜運転モードへの移行を促して、高負荷運転モードの冷却効率を増加させることができるとともに、上記不具合を解消させることができる。
【００５１】
なお、上記構成を採用しない場合には、除霜モード終了後は、積算時間Ｔｂをリセットするようにしてもよい。
【産業上の利用可能性】
【００５２】
本発明は、許容最大周波数での圧縮機の運転を極力抑制するとともに、室内温度が上昇し過ぎることを防止する冷蔵庫を提供することができ、様々な冷蔵庫に適応可能である。
【図面の簡単な説明】
【００５３】
【図１】本発明の実施例１の制御方法を示すフローチャートである。
【図２】本発明の実施例１の制御方法を示すフローチャートである。
【図３】本発明の冷蔵庫を示す縦断面図である。
【図４】本発明の制御ブロック図である。
【図５】本発明の実施例１の冷凍室温度と圧縮機周波数との関係を示すグラフである。
【図６】本発明の実施例１の冷凍室温度と圧縮機周波数との関係を示すグラフである。
【図７】圧縮機周波数と回転音との関係を示すグラフである。
【符号の説明】
【００５４】
１…冷蔵庫本体            ３…冷蔵室              ４…野菜室
６…冷凍室                １５…Ｒセンサ          ２７…Ｒエバ
２８…Ｒファン            ２４…Ｆセンサ          ３２…Ｆエバ
３３…Ｆファン            ３４…除霜ヒータ        ３５…ＦＤセンサ
３６…機械室              ３７…圧縮機            ３８…Ｃファン
４７…制御装置
【図１】
2005098549.tif 000003
【図２】
2005098549.tif 000004
【図３】
2005098549.tif 000005
【図４】
2005098549.tif 000006
【図５】
2005098549.tif 000007
【図６】
2005098549.tif 000008
【図７】
2005098549.tif 000009